(57)【要約】      （修正有）【課題】自動販売機を改造することなく、規定の重さに達しない商品の販売を可能とし、かつ、ルート配送スタッフ等の人の手で容易に装着・取外しができる自動販売機用アタッチメントを提供する。【解決手段】商品通路に突出する突出位置と、落下する商品により押し開かれて商品通路から退避する退避位置との間を回動可能に設けられ、商品の姿勢を制御する姿勢制御板を備えたサーペンタイン式商品ラックを有する自動販売機用のアタッチメント１であって、アタッチメントは、一対の板状部材２ａ、２ｂと、板状部材を折り畳み可能に連結する連結部材３ａを有し、板状部材は、姿勢制御板を退避位置に保持する姿勢制御板無効化部４と、商品通路を構成する蛇行板と係合してアタッチメントを商品通路内に固定する係合部５を有する。【選択図】図１
0003222015.tif 000002
【実用新案登録請求の範囲】
【請求項１】
商品通路に突出する突出位置と、落下する商品により押し開かれて前記商品通路から退避する退避位置との間を回動可能に設けられ、前記商品の姿勢を制御する姿勢制御板を備えたサーペンタイン式商品ラックを有する自動販売機用のアタッチメントであって、
前記アタッチメントは、板状部材を有し、
前記板状部材は、前記姿勢制御板を前記退避位置に保持する姿勢制御板無効化部と、前記商品通路を構成する蛇行板と係合して前記アタッチメントを前記商品通路内に固定する係合部を有することを特徴とする自動販売機用アタッチメント。
【請求項２】
前記アタッチメントは、一対の板状部材と、前記板状部材を折り畳み可能に連結する連結部材を有し、少なくとも一方の前記板状部材は、前記姿勢制御板無効化部と前記係合部の少なくとも一方を有することを特徴とする請求項１に記載の自動販売機用アタッチメント。
【請求項３】
前記アタッチメントは、折り畳んだ状態で前記商品通路内に挿入され、ほぼ９０度回転されて前記折り畳んだ状態が解除されることで、前記姿勢制御板を前記退避位置に保持することを特徴とする請求項２に記載の自動販売機用アタッチメント。
【請求項４】
前記姿勢制御板無効化部及び前記係合部は、前記板状部材の一辺に沿って配置された切り欠き部であることを特徴とする請求項１乃至３のいずれか一項に記載の自動販売機用アタッチメント。
【請求項５】
前記板状部材は長尺状であり、前記姿勢制御板無効化部及び前記係合部は、対向する長辺のそれぞれに沿って、千鳥状に配置された切り欠き部であることを特徴とする請求項１乃至４のいずれか一項に記載の自動販売機用アタッチメント。
【請求項６】
前記板状部材は、磁石を有することを特徴とする請求項１乃至５のいずれか一項に記載の自動販売機用アタッチメント。
【請求項７】
前記姿勢制御板は、前記商品通路に向けて突出するように付勢されていることを特徴とする請求項１乃至６のいずれか一項に記載の自動販売機用アタッチメント。
【考案の詳細な説明】
【技術分野】
【０００１】
本考案は、自動販売機用アタッチメントに関する。より詳細には、姿勢制御板を備えたサーペンタイン式商品ラックを有する缶・ボトル飲料自動販売機用のアタッチメントに関する。
【背景技術】
【０００２】
従来より、缶入り飲料、ペットボトル入り飲料などの商品を販売する缶・ボトル飲料自動販売機として、サーペンタイン式商品ラックを備えた缶・ボトル飲料自動販売機が知られている（特許文献１）。
【０００３】
図５に示す様に、一般的に、サーペンタイン式商品ラック１０の商品通路１１には、缶入り飲料等の商品１２の姿勢を制御する姿勢制御板１３が設けられている。姿勢制御板１３は、ねじりコイルばね等により商品通路１１に向けて突出するように付勢されており、商品通路１１を落下する商品１２により押し開かれて商品通路１１から退避する。その際、商品１２の姿勢を横倒し姿勢に矯正するとともに商品１２の落下エネルギーを吸収してその落下速度を低減させる機能を有している。
【先行技術文献】
【特許文献】
【０００４】
【特許文献１】特開２００１−１８８９５６号公報
【考案の概要】
【考案が解決しようとする課題】
【０００５】
しかし、姿勢制御板１３を備えた自動販売機では、姿勢制御板１３を押し開くだけの規定の重さ（例えば２００ｇから６００ｇ程度）を有する商品１２しか販売できないため、例えばボトル入りガム等の規定の重さに達しない商品を販売することは困難であった。
【０００６】
本考案は、自動販売機を改造することなく、規定の重さに達しない商品の販売を可能とし、かつ、ルート配送スタッフ等の人の手で容易に装着・取外しができる自動販売機用アタッチメントを提供することを目的とする。
【課題を解決するための手段】
【０００７】
本考案の自動販売機用アタッチメントは、
商品通路に突出する突出位置と、落下する商品により押し開かれて前記商品通路から退避する退避位置との間を回動可能に設けられ、前記商品の姿勢を制御する姿勢制御板を備えたサーペンタイン式商品ラックを有する自動販売機用のアタッチメントであって、
前記アタッチメントは、板状部材を有し、
前記板状部材は、前記姿勢制御板を前記退避位置に保持する姿勢制御板無効化部と、前記商品通路を構成する蛇行板と係合して前記アタッチメントを前記商品通路内に固定する係合部を有することを特徴とする。
【考案の効果】
【０００８】
本考案の自動販売機用アタッチメントによれば、自動販売機を改造することなく、規定の重さに達しない商品の販売が可能となる。また、本考案の自動販売機用アタッチメントは、ルート配送スタッフ等の人の手で容易に装着・取外しができる。
【図面の簡単な説明】
【０００９】
【図１】本考案の自動販売機用アタッチメントの一例を示す概略斜視図である。
【図２】図１の自動販売機用アタッチメントの（ａ）平面図、（ｂ）背面図、（ｃ）右側面図である。
【図３】図１の自動販売機用アタッチメントの装着・取外し方法を説明する図である。
【図４】本考案の自動販売機用アタッチメントの他の例を示す図である。
【図５】サーペンタイン式商品ラックの一例を示す概略斜視図である。
【図６】図５のサーペンタイン式商品ラックの最前列の商品通路の、Ｙ軸方向に直行する面（ＸＺ面）を示す概略断面図である。
【考案を実施するための形態】
【００１０】
以下、本考案を図面を用いて詳細に説明するが、本考案は、以下に示す例に限定されるものではない。
【００１１】
本考案のアタッチメントは、商品通路に突出する突出位置と、落下する商品により押し開かれて商品通路から退避する退避位置との間を回動可能に設けられ、商品の姿勢を制御する姿勢制御板を備えたサーペンタイン式商品ラックを有する自動販売機用のアタッチメントである。
【００１２】
≪サーペンタイン式商品ラック≫
まず、本考案のアタッチメントを装着するサーペンタイン式商品ラックについて、図５、図６を用いて説明する。図５は、サーペンタイン式商品ラックの一例を示す概略斜視図である。図６は、図５のサーペンタイン式商品ラックの最前列の商品通路のＹ軸方向に直行する面（ＸＺ面）を示す概略断面図であり、図６（ａ）は商品が収納されていない状態を示し、図６（ｂ）は商品が収納されている状態を示す。図５，６において、１０はサーペンタイン式商品ラック、１１は商品通路、１２は缶入り飲料等の商品、１３は姿勢制御板、１４は商品投入口、１５は蛇行板、１６はトレイ、１７は搬出機構である。尚、図５，６において、Ｘ軸方向は自動販売機の前後方向（奥行方向）、Ｙ軸方向は自動販売機の左右方向（幅方向）、Ｚ軸方向は自動販売機の上下方向（高さ方向）に相当する。
【００１３】
図５に示すように、サーペンタイン式の商品ラック（以下、単に「商品ラック」と称する場合がある）１０は、Ｘ軸方向に沿って複数列の蛇行状の商品通路１１を有する。商品通路１１は、Ｙ軸方向に沿って対向する一対のラック側板（不図示）に、Ｚ軸方向に半ピッチずらして向かい合わせに架設した一対の蛇行板１５の間に形成される。図５ではＸ軸方向に沿って３列の商品通路１１を有し、紙面向かって一番右側の商品通路１１が最前列の商品通路１１である。最前列の商品通路１１は、その上端が商品投入口１４となり、商品１２が直接投入される。２列目以降の商品通路１１の上端入口には、商品投入口１４と繋がったトレイ１６が設けられ、商品１２はトレイ１６を介して投入される。また、それぞれの商品通路１１の下端出口には、商品搬出機構１７が設けられている。
【００１４】
蛇行板１５には、商品通路１１に突出する突出位置と、落下する商品１２により押し開かれて商品通路１１から退避する退避位置との間を回動可能に設けられ、商品の姿勢を制御する姿勢制御板１３が設けられている。本例では、図６（ａ）に示す様に、姿勢制御板１３は、商品通路１１を挟んで上下方向に互い違いに配置されている。また、姿勢制御板１３は、蛇行板１５の谷部に、ねじりコイルばね等により商品通路１１に向けて突出するように付勢されている。そして、図６（ｂ）に示す様に、商品通路１１を落下する商品１２により押し開かれて商品通路１１から退避する。その際、商品１２の姿勢を横倒し姿勢に矯正するとともに商品１２の落下エネルギーを吸収してその落下速度を低減させる機能を有している。
【００１５】
図５のサーペンタイン式商品ラックでは、商品１２は、商品投入口１４から横倒し姿勢で投入され、商品通路１１を落下する。商品通路１１を落下する商品１２は、蛇行した通路により落下速度が低減され、更に姿勢制御板１３を押し開く過程で姿勢矯正されると同時に落下速度が低減され、落下衝撃が緩和される。最初に投入された商品１２は商品搬出機構１７のストッパ部材（不図示）に係止されて販売順位一番の商品となり、２番目以降に投入された商品がその後に順次整列して、商品通路１１に収容される。商品通路１１に収納された商品は、冷却／加熱ユニットによって販売に適した温度に冷却若しくは加熱されて保存される。
【００１６】
商品ラック１０は、一方のラック側板（不図示）側に、一方のラック側板に接近・離隔することが可能な可動側板を有してもよい。可動側板を設けると、可動側板を移動することで、商品１２の高さに応じて商品通路１１のＹ軸方向の幅を調節することができる。
【００１７】
≪アタッチメント≫
＜第一実施形態＞
本考案のアタッチメントについて、図１から図３を用いて説明する。図１は、本考案のアタッチメントの一例を示す概略斜視図である。図２は、図１のアタッチメントの（ａ）平面図（Ａ方向から見た図）、（ｂ）背面図（Ｂ方向から見た図）、（ｃ）右側面図（Ｃ方向から見た図）である。図３は、図１のアタッチメントの装着・取外し方法を説明する図であり、図３（ａ）はアタッチメントを商品通路に挿入した状態を示し、図３（ｂ）はアタッチメントを商品通路に装着した状態を示す。図１から図３において、１はアタッチメント、２ａ，２ｂは板状部材、３ａ，３ｂは連結部材、４は姿勢制御板無効化部、５は係合部、６は切り欠き部である。
【００１８】
図１に示すアタッチメントは、一対の板状部材２ａ，２ｂと、板状部材２ａ，２ｂを折り畳み可能に連結する連結部材３ａ，３ｂを有する。
【００１９】
板状部材２ａ，２ｂは長尺状であり、対向する長辺のそれぞれに沿って、千鳥状に配置された切り欠き部６を有する。切り欠き部６は、姿勢制御板無効化部４であって係合部５である。板状部材２ａ，２ｂの長さは、商品ラック１０の商品通路１１の深さに合わせて、適宜設定すればよい。板状部材２ａ，２ｂの幅は、商品通路１１のＸ軸方向の最大幅（蛇行板１５の頂部を結ぶ面同士の間隔）に合わせて、適宜設定すればよい。切り欠き部６の深さは、商品通路１１のＸ軸方向の最小幅（蛇行板１５の谷部を結ぶ面同士の間隔）に合わせて、適宜設定すればよい。切り欠き部６の数及び間隔は、商品通路１１を構成する蛇行板１５の谷部の数及び間隔（姿勢制御板１３の数及び間隔）に合わせて、適宜設定すればよい。切り欠き部６のテーパ角度（傾斜面同士がなす角度）は特に限定されないが、テーパ角度が小さいほど、姿勢制御板１３を、より確実に商品通路１１から退避させることができる。本例では、板状部材２ａ，２ｂはプラスチックダンボールで形成されているが、これに限定されず、姿勢制御板１３の付勢力に応じて、木材、樹脂板等の他の材料で形成してもよい。
【００２０】
連結部材３ａ，３ｂは、切り欠き部６と干渉しない位置に設けられる。連結部材３ａ，３ｂの板状部材２ａ，２ｂへの固定は、接着等、公知の方法を適用すればよい。連結部材３ａ，３ｂの長さは、商品１２の高さに合わせて適宜設定すればよい。本例では、図２（ａ）、（ｂ）に示す様に、連結部材３ａ，３ｂは互い違いの４カ所に設けられているが、アタッチメント１の折り畳み、折り畳み解除が可能であれば、この例に限定されない。また、本例では、連結部材３ａ，３ｂはプラスチックダンボールで形成されているが、これに限定されず、アタッチメント１の折り畳み、折り畳み解除が可能であれば、他の材料で形成してもよい。
【００２１】
アタッチメント１は、図２（ｃ）に示す矢印７の方向に力を加えることで、連結部材３ａ，３ｂが倒れ込み、図３（ａ）に示す様に、一対の板状部材２ａ，２ｂ同士が近接するまで折り畳むことができる。また、折り畳んだ状態のアタッチメント１は、図２（ｃ）に示す矢印７と逆方向に力を加えることで、連結部材３ａ，３ｂが起き上がり、図１に示す状態に戻すことができる。
【００２２】
次に、アタッチメントの装着・取外し方法について説明する。以下に示す様に、本考案のアタッチメントは、ルート配送スタッフ等の人の手で、容易に装着・取外しができる。
【００２３】
まず、図３（ａ）に示す様に、アタッチメント１は、折り畳んだ状態で商品通路１１内の一方のラック側板（可動側板を有する場合は、可動側板を備えていない方のラック側板）の近傍に挿入される。図３（ａ）では、アタッチメント１を折り畳んだ状態の厚みｔが、突出位置にある姿勢制御板１３同士により形成される隙間の幅Ｔ未満であるため、姿勢制御板１３は、アタッチメント１により押し開かれていないが、本考案はこれに限定されるものではない。ｔ≧Ｔであり、姿勢制御板１３がアタッチメント１により押し開かれる状態であってもよい。
【００２４】
図３（ａ）に示す様に、板状部材２ａ，２ｂの一番上の切り欠き部６が、商品通路１１の一番上の姿勢制御板１３に対応する位置まで、アタッチメント１が挿入されたことを確認したら、反時計回り（図３（ａ）の矢印の方向）に、アタッチメント１を、ほぼ９０°回転する。これにより、アタッチメント１は、折り畳んだ状態が解除され、商品通路１１内に装着される。
【００２５】
その結果、図３（ｂ）に示す様に、切り欠き部６のそれぞれが、蛇行板１５の谷部に噛み合い、アタッチメント１がラック側板の近傍で商品通路１１内に固定される。板状部材２ａ，２ｂが磁石を有する場合には、板状部材２ａ，２ｂがラック側板に貼り付いてより強固に固定され、好ましい。
【００２６】
また、図３（ｂ）に示す様に、切り欠き部６のそれぞれが、姿勢制御板１３を押し開き、姿勢制御板１３が、商品通路１１から退避する退避位置に保持される。これにより、姿勢制御板１３が無効化され、姿勢制御板１３を押し開くだけの規定の重さに達しないボトル入りガム等の商品１２を、商品通路１１内に収納することが可能となる。また、切り欠き部６の斜面により、姿勢制御板１３は９０°（真下）よりも大きな角度で押し開かれるため、姿勢制御板１３を、より確実に商品通路１１から退避させることができる。
【００２７】
ここで、姿勢制御板１３が無効化されると、商品通路１１を落下する商品１２の姿勢が制御されず、横倒し姿勢を維持できない可能性がある。特に、商品１２の高さが、商品通路１１のＹ軸方向の幅（可動側板を有する場合は調節後の幅）よりも低い場合には、その可能性が高くなる。本例のアタッチメント１では、折り畳んだ状態が解除されることで、商品通路１１の幅が規制されるため、商品１２の横倒し姿勢を維持できない可能性を下げることができる。特に、規制された幅が、商品１２の高さとほぼ同じまたはわずかに大きい程度である場合には、その可能性をより下げることができる。
【００２８】
アタッチメント１は、時計回りにほぼ９０°回転させることにより、図３（ａ）に示す様に折り畳んだ状態となり、その状態で商品通路１１から抜き出すことで、容易に取外すことができる。
【００２９】
尚、本例では、一対の板状部材２ａ，２ｂの両方が、対向する長辺のそれぞれに沿って切り欠き部６を有するが、一方の板状部材のみに、対向する長辺のそれぞれに沿って切り欠き部６を設けてもよい。また、一方の板状部材の一方の長辺のみに沿って切り欠き部６を設け、他方の板状部材の他方の長辺のみに沿って切り欠き部６を設けてもよい。また、連結部材３ａ、３ｂを設けることなく、一枚または二枚の板状部材のみで、アタッチメント１を構成してもよい。
【００３０】
＜第二実施形態＞
本例では、板状部材２ａ，２ｂとして、図４に示す板状部材を用いた以外は第一実施形態と同様である。以下、第一実施形態との相違点を中心に述べ、同様の部分についてはその説明を省略する。図４は、アタッチメントを商品通路に装着した状態を示し、第一実施形態の図３（ｂ）に相当する。
【００３１】
図４に示す例では、姿勢制御板無効化部４と係合部５が別々に設けられている。図４（ａ）に示す例では、板状部材の上端部が係合部５であり、係合部５が蛇行板１５と係合することにより、アタッチメント１が商品通路１１内に固定される。また、板状部材の幅が、ほぼ商品通路１１のＸ軸方向の最小幅（蛇行板１５の谷部を結ぶ面同士の間隔）となっており、対向する長辺のそれぞれの、姿勢制御板１３に対応する箇所が姿勢制御板無効化部４である。また、図４（ｂ）に示す例では、係合部５は図４（ａ）と同様であるが、姿勢制御板無効化部４として、対向する長辺のそれぞれに沿って千鳥状に配置された凸部を有する。図４（ｂ）に示す例では、第一実施形態と同様に、姿勢制御板１３は９０°（真下）よりも大きな角度で押し開かれるため、姿勢制御板１３を、より確実に商品通路１１から退避させることができる。
【００３２】
尚、一方の板状部材に、姿勢制御板無効化部４のみを設け、他方の板状部材に係合部５のみを設けてもよい。また、例えば、図４（ａ）の板状部材と図４（ｂ）の板状部材、これらのいずれかと第一の実施形態の板状部材等、異なる形状の板状部材を組み合わせて一対の板状部材２ａ，２ｂとしてもよい。
【符号の説明】
【００３３】
１：アタッチメント、２ａ，２ｂ：板状部材、３ａ，３ｂ：連結部材、４：姿勢制御板無効化部、５：係合部、６：切り欠き部、１０：サーペンタイン式商品ラック（商品ラック）、１１：商品通路、１２：商品、１３：姿勢制御板、１４：商品投入口、１５：蛇行板、１６：トレイ、１７：搬出機構
【図１】
0003222015.tif 000003
【図２】
0003222015.tif 000004
【図３】
0003222015.tif 000005
【図４】
0003222015.tif 000006
【図５】
0003222015.tif 000007
【図６】
0003222015.tif 000008